(57)【要約】【課題】初期設定の作業を効率的に行うことが可能な入退管理システムを提供することである。【解決手段】本発明にかかる入退管理システムは、非接触ＩＣカード１１と、入退出制御を行う所定台数のコントローラ１２と、を備える。非接触ＩＣカード１１には所定台数のコントローラ１２の各々の初期設定を行うためのデータが格納されている。そして、所定台数のコントローラ１２の各々に対して、非接触ＩＣカード１１に格納されているアドレスに関する値を用いてコントローラ１２のアドレスに関する設定を行う処理と、非接触ＩＣカード１１に格納されているアドレスに関する値を書き換える処理と、を１台ずつ順番に繰り返すことで、各々のコントローラ１２の初期設定を行う。【選択図】図１
2020119371.tif 000002
【特許請求の範囲】
【請求項１】
非接触ＩＣカードと、
前記非接触ＩＣカードに格納されているデータに基づいて入退出制御を行う所定台数のコントローラと、を備え、
前記非接触ＩＣカードには前記所定台数のコントローラの各々の初期設定を行うためのデータが格納されており、
前記所定台数のコントローラの各々に対して、
前記非接触ＩＣカードに格納されているアドレスに関する値を用いて前記コントローラのアドレスに関する設定を行う処理と、
前記非接触ＩＣカードに格納されているアドレスに関する値を書き換える処理と、を１台ずつ順番に繰り返すことで、前記各々のコントローラの初期設定を行う、
入退管理システム。
【請求項２】
前記各々のコントローラは、
前記非接触ＩＣカードに格納されているアドレスに関する値を読み出した後、当該読み出したアドレスに関する値をインクリメントまたはデクリメントし、当該インクリメントまたはデクリメントした後のアドレスに関する値を用いて前記コントローラのアドレスに関する設定を行い、
前記非接触ＩＣカードに格納されているアドレスに関する値を、前記インクリメントまたはデクリメントした後のアドレスに関する値に書き換える、
請求項１に記載の入退管理システム。
【請求項３】
前記各々のコントローラは、
前記非接触ＩＣカードに格納されているアドレスに関する値を読み出した後、当該読み出したアドレスに関する値を用いて前記コントローラのアドレスに関する設定を行い、
前記読み出したアドレスに関する値をインクリメントまたはデクリメントした後、前記非接触ＩＣカードに格納されているアドレスに関する値を、前記インクリメントまたはデクリメントした後のアドレスに関する値に書き換える、
請求項１に記載の入退管理システム。
【請求項４】
前記アドレスに関する値は、前記コントローラの端末ＩＤおよびＩＰアドレスの少なくとも一つである、請求項１〜３のいずれか一項に記載の入退管理システム。
【請求項５】
前記コントローラは、前記非接触ＩＣカードに格納されている現在のアドレスに関する値に基づいて、設定済みのコントローラの台数が前記所定台数に達したか否かを判定する、請求項１〜３のいずれか一項に記載の入退管理システム。
【請求項６】
前記コントローラは、設定済みのコントローラの台数が前記所定台数に達した場合に、前記初期設定が完了した旨のメッセージを出力する、請求項５に記載の入退管理システム。
【請求項７】
非接触ＩＣカードに格納されているデータに基づいて入退出制御を行う所定台数のコントローラを備える入退管理システムの設定方法であって、
前記非接触ＩＣカードに前記所定台数のコントローラの各々の初期設定を行うためのデータを格納した後、
前記所定台数のコントローラの各々に対して、
前記非接触ＩＣカードに格納されているアドレスに関する値を用いて前記コントローラのアドレスに関する設定を行う処理と、
前記非接触ＩＣカードに格納されているアドレスに関する値を書き換える処理と、を１台ずつ順番に繰り返すことで、前記各々のコントローラの初期設定を行う、
入退管理システムの設定方法。
【発明の詳細な説明】
【技術分野】
【０００１】
本発明は入退管理システム、及び入退管理システムの設定方法に関し、特に非接触ＩＣカードを用いて初期設定を行うことが可能な入退管理システム、及び入退管理システムの設定方法に関する。
【背景技術】
【０００２】
近年、ビル等の建物において、非接触ＩＣカードを用いて入退出認証を行う入退管理システムが用いられている。特許文献１には、非接触ＩＣカードの情報を読み取るカードリーダの設定方法に関する技術が開示されている。
【先行技術文献】
【特許文献】
【０００３】
【特許文献１】特開２００７−１３３６０７号公報
【発明の概要】
【発明が解決しようとする課題】
【０００４】
入退管理システムでは、非接触ＩＣカードに格納されているデータに基づいて入退出制御を行っている。入退管理システムにおける入退出制御は、各々の部屋の出入口に設けられている複数のコントローラを用いて行っている。入退管理システムにおけるこのようなコントローラの初期設定は、専用端末をコントローラに接続し、コントローラの表示器を確認しながら、１項目ずつ手入力操作で登録を行うのが一般的である。
【０００５】
しかしながら、登録するコントローラの台数が多い場合は、各々のコントローラの初期設定を個別に行う必要があるので、コントローラの初期設定の作業が煩雑になるという問題がある。
【０００６】
上記課題に鑑み本発明の目的は、初期設定の作業を効率的に行うことが可能な入退管理システム、及び入退管理システムの設定方法を提供することである。
【課題を解決するための手段】
【０００７】
本発明の一態様にかかる入退管理システムは、非接触ＩＣカードと、前記非接触ＩＣカードに格納されているデータに基づいて入退出制御を行う所定台数のコントローラと、を備える。前記非接触ＩＣカードには前記所定台数のコントローラの各々の初期設定を行うためのデータが格納されている。そして、前記所定台数のコントローラの各々に対して、前記非接触ＩＣカードに格納されているアドレスに関する値を用いて前記コントローラのアドレスに関する設定を行う処理と、前記非接触ＩＣカードに格納されているアドレスに関する値を書き換える処理と、を１台ずつ順番に繰り返すことで、前記各々のコントローラの初期設定を行う。
【０００８】
本発明の一態様にかかる入退管理システムの設定方法は、非接触ＩＣカードに格納されているデータに基づいて入退出制御を行う所定台数のコントローラを備える入退管理システムの設定方法であって、前記非接触ＩＣカードに前記所定台数のコントローラの各々の初期設定を行うためのデータを格納した後、前記所定台数のコントローラの各々に対して、前記非接触ＩＣカードに格納されているアドレスに関する値を用いて前記コントローラのアドレスに関する設定を行う処理と、前記非接触ＩＣカードに格納されているアドレスに関する値を書き換える処理と、を１台ずつ順番に繰り返すことで、前記各々のコントローラの初期設定を行う。
【発明の効果】
【０００９】
本発明により、初期設定の作業を効率的に行うことが可能な入退管理システム、及び入退管理システムの設定方法を提供することができる。
【図面の簡単な説明】
【００１０】
【図１】実施の形態１にかかる入退管理システムを説明するためのブロック図である。
【図２】実施の形態１にかかる入退管理システムにおける設定例を説明するためのブロック図である。
【図３】実施の形態１にかかる入退管理システムにおける他の設定例を説明するためのブロック図である。
【図４】実施の形態２にかかる入退管理システムを説明するためのブロック図である。
【図５】実施の形態２にかかる入退管理システムが備えるコントローラの一例を示すブロック図である。
【図６】コントローラの設置例を説明するための平面図である。
【図７】実施の形態２にかかる入退管理システムの動作を説明するためのフローチャートである。
【図８】実施の形態２にかかる入退管理システムの動作を説明するためのフローチャートである。
【図９】非接触ＩＣカードに格納されている初期設定データの一例を示す表である。
【発明を実施するための形態】
【００１１】
＜実施の形態１＞
以下、図面を参照して本発明の実施の形態について説明する。
図１は、実施の形態１にかかる入退管理システムを説明するためのブロック図である。図１に示すように、本実施の形態にかかる入退管理システムは、非接触ＩＣカード１１と、非接触ＩＣカード１１に格納されているデータに基づいて入退出制御を行う所定台数のコントローラ１２_ａ、１２_ｂ、１２_ｃ・・・と、を備える。なお、本明細書では、コントローラ１２_ａ、１２_ｂ、１２_ｃ・・・を総称してコントローラ１２と記載する場合もある。
【００１２】
各々のコントローラ１２（入退出管理端末）は、非接触ＩＣカードに格納されているデータに応じて入退出管理を行う。例えば、各々のコントローラ１２は、各々の部屋の出入口に設けられており、ドアに設けられた電気錠の制御を行う。また、各々のコントローラ１２は、２名照合、アンチパスバック、ルートトラップ、インターロック等のセキュリティ面を考慮した機能を備えていてもよい。更に、各々のコントローラ１２は、警備システム、火災報知システム、監視カメラシステム、ビル管理システム等の外部機器との連携を行うための各種インタフェースを利用した機能を備えていてもよい。
【００１３】
各々のコントローラ１２にこのような機能を実現させるためには、入退管理システムの稼働前に各々の機能に対応した初期設定が必要となる。本実施の形態にかかる入退管理システムでは、予め非接触ＩＣカード１１に初期設定を行うためのデータを格納し、この非接触ＩＣカード１１に格納されている初期設定のデータを用いて各々のコントローラ１２の初期設定を行っている。つまり、非接触ＩＣカード１１に格納されている初期設定の値を各々のコントローラ１２が読み込み、この読み込んだ初期設定の値を各々のコントローラ１２のメモリに書き込むことで、各々のコントローラ１２の初期設定を行うことができる。換言すると、初期設定の値が格納された非接触ＩＣカード１１を用いることで、各々のコントローラ１２に初期設定値を自動的に取り込むことができる。
【００１４】
図９は、非接触ＩＣカード１１に格納されている初期設定データの一例を示す表である。図９に示す例では、非接触ＩＣカード１１に２０項目の初期設定データが格納されている。このうち、可変フラグが“１”のデータは、設定されるコントローラ１２毎に値が異なるように（つまり、コントローラ１２間において値が重複しないように）設定される。一方、可変フラグが“０”のデータは、各々のコントローラ１２に共通する設定値であり、各々のコントローラ１２に同一の値が設定される。
【００１５】
ここで、可変フラグが“１”のデータは、コントローラ１２の端末ＩＤ、ＩＰアドレスなどのアドレスに関する値である。本実施の形態にかかる入退管理システムでは、各々のコントローラ１２に設定するアドレスに関する値については、次のようにして設定を行っている。すなわち、本実施の形態にかかる入退管理システムでは、各々のコントローラ１２に対して、（ａ）非接触ＩＣカード１１に格納されているアドレスに関する値を用いてコントローラのアドレスに関する設定を行う処理を実施する。また、（ｂ）非接触ＩＣカード１１に格納されているアドレスに関する値を書き換える処理を実施する。
【００１６】
このような処理（ａ）と処理（ｂ）とを各々のコントローラ１２に対して１台ずつ順番に繰り返すことで、各々のコントローラ１２の初期設定を行うことができる。ここで、処理（ａ）と処理（ｂ）の順番は、処理（ａ）の後に処理（ｂ）を実施してもよく、また処理（ｂ）の後に処理（ａ）を実施するようにしてもよい。
【００１７】
すなわち、各々のコントローラ１２に対しては、アドレスに関する値を互いに重複しないように付与する必要がある。本実施の形態では、上述の処理（ａ）と処理（ｂ）とを各々のコントローラ１２に対して１台ずつ順番に繰り返すことで、アドレスに関する値を互いに重複しないように各々のコントローラ１２に付与することができる。
【００１８】
図２は、本実施の形態にかかる入退管理システムにおける設定例を説明するためのブロック図である。図２では、一例としてコントローラ１２の端末ＩＤを各々のコントローラに設定する場合について説明する。なお、各々のコントローラ１２に共通する設定値（つまり、図９に示す初期設定データのうち、可変フラグが“０”の項目）については、各々のコントローラ１２に同一の値が設定される。
【００１９】
まず、各々のコントローラに対して初期設定を行う前に、非接触ＩＣカードに初期設定データ（図９参照）を格納しておく。図２に示す例では、非接触ＩＣカードに端末ＩＤ＝０００１の初期値が設定されている。
【００２０】
そして、１台目のコントローラＡ（１２_ａ）に非接触ＩＣカード１１_ａをかざして、非接触ＩＣカードに格納されている初期設定データを読み出す。コントローラＡ（１２_ａ）は、非接触ＩＣカードから読み出した初期設定データ（端末ＩＤ＝０００１）をインクリメントして端末ＩＤ＝０００２とし、この値をコントローラＡ（１２_ａ）のメモリに書き込む。また、他の初期設定データもコントローラＡ（１２_ａ）のメモリに書き込む。更に、コントローラＡ（１２_ａ）は、非接触ＩＣカードに格納されている端末ＩＤ＝０００１を端末ＩＤ＝０００２に書き換える。
【００２１】
次に、端末ＩＤ＝０００２に書き換えられた非接触ＩＣカード１１_ｂを、２台目のコントローラＢ（１２_ｂ）にかざして、非接触ＩＣカードに格納されている初期設定データを読み出す。コントローラＢ（１２_ｂ）は、非接触ＩＣカードから読み出した初期設定データ（端末ＩＤ＝０００２）をインクリメントして端末ＩＤ＝０００３とし、この値をコントローラＢ（１２_ｂ）のメモリに書き込む。また、他の初期設定データもコントローラＢ（１２_ｂ）のメモリに書き込む。更に、コントローラＢ（１２_ｂ）は、非接触ＩＣカードに格納されている端末ＩＤ＝０００２を端末ＩＤ＝０００３に書き換える。
【００２２】
次に、端末ＩＤ＝０００３に書き換えられた非接触ＩＣカード１１_ｃを、３台目のコントローラＣ（１２_ｃ）にかざして、非接触ＩＣカードに格納されている初期設定データを読み出す。コントローラＣ（１２_ｃ）は、非接触ＩＣカードから読み出した初期設定データ（端末ＩＤ＝０００３）をインクリメントして端末ＩＤ＝０００４とし、この値をコントローラＣ（１２_ｃ）のメモリに書き込む。また、他の初期設定データもコントローラＣ（１２_ｃ）のメモリに書き込む。更に、コントローラＣ（１２_ｃ）は、非接触ＩＣカードに格納されている端末ＩＤ＝０００３を端末ＩＤ＝０００４に書き換える（非接触ＩＣカード１１_ｄ参照）。
【００２３】
以上の動作を各々のコントローラ１２に対して１台ずつ順番に繰り返すことで、各々のコントローラの初期設定を行うことができる。
【００２４】
図３は、本実施の形態にかかる入退管理システムにおける他の設定例を説明するためのブロック図である。図２に示した設定例では、各々のコントローラ１２_ａ〜１２_ｃは、非接触ＩＣカード１１に格納されているアドレスに関する値（端末ＩＤ）を読み出した後、当該読み出したアドレスに関する値をインクリメントしている。そして、当該インクリメントした後のアドレスに関する値を用いてコントローラ１２_ａ〜１２_ｃのアドレスに関する設定を行っている。その後、非接触ＩＣカード１１に格納されているアドレスに関する値を、インクリメントした後のアドレスに関する値に書き換えている。
【００２５】
これに対して図３に示す設定例では、各々のコントローラ１２_ａ〜１２_ｃは、非接触ＩＣカード１１に格納されているアドレスに関する値（端末ＩＤ）を読み出した後、当該読み出したアドレスに関する値を用いて、コントローラ１２_ａ〜１２_ｃのアドレスに関する設定を行う。また、読み出したアドレスに関する値をインクリメントし、非接触ＩＣカード１１に格納されているアドレスに関する値を、インクリメントした後のアドレスに関する値に書き換えている。なお、アドレスに関する値は、インクリメントではなくデクリメントしてもよい。図３に示す設定例について詳細に説明する。
【００２６】
まず、各々のコントローラに対して初期設定を行う前に、非接触ＩＣカードに初期設定データを格納しておく。図３に示す例では、非接触ＩＣカードに端末ＩＤ＝０００１の初期値が設定されている。
【００２７】
そして、１台目のコントローラＡ（１２_ａ）に非接触ＩＣカード１１_ａをかざして、非接触ＩＣカードに格納されている初期設定データを読み出す。コントローラＡ（１２_ａ）は、非接触ＩＣカードから読み出した初期設定データ（端末ＩＤ＝０００１）を端末ＩＤとしてコントローラＡ（１２_ａ）のメモリに書き込む。また、他の初期設定データもコントローラＡ（１２_ａ）のメモリに書き込む。また、コントローラＡ（１２_ａ）は、非接触ＩＣカードから読み出した端末ＩＤ＝０００１をインクリメントして端末ＩＤ＝０００２とする。そして、非接触ＩＣカードに格納されている端末ＩＤ＝０００１を、インクリメント後の端末ＩＤ＝０００２に書き換える。
【００２８】
次に、端末ＩＤ＝０００２に書き換えられた非接触ＩＣカード１１_ｂを、２台目のコントローラＢ（１２_ｂ）にかざして、非接触ＩＣカードに格納されている初期設定データを読み出す。コントローラＢ（１２_ｂ）は、非接触ＩＣカードから読み出した初期設定データ（端末ＩＤ＝０００２）を端末ＩＤとしてコントローラＢ（１２_ｂ）のメモリに書き込む。また、他の初期設定データもコントローラＢ（１２_ｂ）のメモリに書き込む。また、コントローラＢ（１２_ｂ）は、非接触ＩＣカードから読み出した端末ＩＤ＝０００２をインクリメントして端末ＩＤ＝０００３とする。そして、非接触ＩＣカードに格納されている端末ＩＤ＝０００２を、インクリメント後の端末ＩＤ＝０００３に書き換える。
【００２９】
次に、端末ＩＤ＝０００３に書き換えられた非接触ＩＣカード１１_ｃを、３台目のコントローラＣ（１２_ｃ）にかざして、非接触ＩＣカードに格納されている初期設定データを読み出す。コントローラＣ（１２_ｃ）は、非接触ＩＣカードから読み出した初期設定データ（端末ＩＤ＝０００３）を端末ＩＤとしてコントローラＣ（１２_ｃ）のメモリに書き込む。また、他の初期設定データもコントローラＣ（１２_ｃ）のメモリに書き込む。また、コントローラＣ（１２_ｃ）は、非接触ＩＣカードから読み出した端末ＩＤ＝０００３をインクリメントして端末ＩＤ＝０００４とする。そして、非接触ＩＣカードに格納されている端末ＩＤ＝０００３を、インクリメント後の端末ＩＤ＝０００４に書き換える（非接触ＩＣカード１１_ｄ参照）。
【００３０】
以上の動作を各々のコントローラ１２に対して１台ずつ順番に繰り返すことで、各々のコントローラの初期設定を行うことができる。
【００３１】
「発明が解決しようとする課題」で説明したように、入退管理システムでは各々のコントローラの初期設定は、専用端末をコントローラに接続し、コントローラの表示器を確認しながら、１項目ずつ手入力操作で登録を行うのが一般的であった。
【００３２】
しかしながら、登録するコントローラの台数が多い場合は、各々のコントローラの初期設定を個別に行う必要があるので、コントローラの初期設定の作業が煩雑になるという問題があった。特に、初期設定用の専用端末をコントローラに有線（ＬＡＮ、シリアルケーブル等）で接続した場合は、専用端末をコントローラ毎に接続し直す必要があるため初期設定の作業が煩雑になる。また、設定値を１項目ずつ手入力操作で登録を行う必要があるため、初期設定のための労力や時間が必要となる。また、手入力操作で登録を行った場合は誤入力するおそれもある。この場合は、登録内容を訂正するための時間や労力が発生するという問題があった。
【００３３】
そこで、本実施の形態にかかる入退管理システムでは、非接触ＩＣカードに初期設定を行うためのデータを格納し、この非接触ＩＣカードに格納されている初期設定データを用いて各々のコントローラの初期設定を行っている。そしてこのとき、各々のコントローラのアドレスに関する値については、次の処理（ａ）と処理（ｂ）とを各々のコントローラ１２に対して１台ずつ順番に繰り返すことで、各々のコントローラ１２のアドレスに関する値を互いに重複しないように設定している。（ａ）非接触ＩＣカード１１に格納されているアドレスに関する値を用いてコントローラのアドレスに関する設定を行う処理。（ｂ）非接触ＩＣカード１１に格納されているアドレスに関する値を書き換える処理。
【００３４】
このように、本実施の形態では、初期設定を行うためのデータが格納された非接触ＩＣカードを用いて各々のコントローラの初期設定を行っている。したがって、各々のコントローラに初期設定を登録する際に、コントローラと専用端末とを接続する手間や、設定値を１項目ずつ手入力操作で登録する手間を省略することができる。よって、本実施の形態にかかる発明により、初期設定の作業を効率的に行うことが可能な入退管理システム、及び入退管理システムの設定方法を提供することができる。
【００３５】
なお、本実施の形態では、アドレスに関する値はインクリメントではなくデクリメントするようにしてもよい。この場合は、例えば、端末ＩＤの初期値を「登録台数＋１」とし、この値をデクリメントしてもよい（図２の場合）。また、端末ＩＤの初期値を「登録台数」とし、この値をデクリメントしてもよい（図３の場合）。
【００３６】
＜実施の形態２＞
次に、本発明の実施の形態２について説明する。
実施の形態２では、本発明にかかる入退管理システムの具体的な構成例について説明する。図４は、本実施の形態にかかる入退管理システムを説明するためのブロック図である。図４に示すように、入退管理システムは、管理サーバ１０１、管理パソコン１０２、ＵＰＳ（Uninterruptible Power Supply）１０３、及びハブ１０４を備える。更に、入退管理システムは、直流電源２００、ＵＰＳ（２０１）、入室コントローラ２０２ａ、２０２ｂ、電気錠２０４ａ、２０４ｂ、及び退室コントローラ２０３ａ、２０３ｂを備える。
【００３７】
管理サーバ１０１は、本実施の形態にかかる入退管理システムを管理するためのサーバである。本実施の形態にかかる入退管理システムは、社員証などの非接触ＩＣカードを入室コントローラのＩＣカード読取部にかざして当該カード内部の個人コードデータを読み取る。そして、読み取ったデータから上位サーバである管理サーバ１０１で管理されている個人マスタと照合して本人認証を行い、許可された管理エリアであれば電気錠を解錠して入室可能とする。退室時も同様に非接触ＩＣカードを退室コントローラのＩＣカード読取部にかざして電気錠を解錠して退室可能とする。管理サーバ１０１は、このような個人マスタを管理する機能を備える。
【００３８】
管理パソコン１０２は、管理サーバ１０１に接続された端末である。管理パソコン１０２には、非接触ＩＣカードリーダライタ１１０が接続されており、この非接触ＩＣカードリーダライタ１１０を用いて、非接触ＩＣカード１１１からのデータの読み出しと書き込みが行われる。例えば、非接触ＩＣカードリーダライタ１１０は、ＵＳＢケーブルを介して管理パソコン１０２に接続されている。
【００３９】
管理サーバ１０１および管理パソコン１０２には、これらのバックアップ電源としてＵＰＳ（１０３）が接続されている。また、管理サーバ１０１および管理パソコン１０２はハブ１０４に接続されており、ハブ１０４を介して基幹ネットワーク（ＬＡＮ）、入室コントローラ２０２ａ、２０２ｂ、及び退室コントローラ２０３ａ、２０３ｂに接続されている。
【００４０】
直流電源２００は、入室コントローラ２０２ａ、２０２ｂ、及び退室コントローラ２０３ａ、２０３ｂに電源を供給する。直流電源２００には、管理サーバ１０１および管理パソコン１０２に接続されているＵＰＳ（１０３）とは別のＵＰＳ（２０１）が接続されている。停電時にはＵＰＳ（２０１）から直流電源２００を介して、入室コントローラ２０２ａ、２０２ｂ、及び退室コントローラ２０３ａ、２０３ｂに電源が供給される。
【００４１】
また、入室コントローラ２０２ａと退室コントローラ２０３ａとを、電源線付きＬＡＮケーブルを用いて接続することで、入室コントローラ２０２ａと退室コントローラ２０３ａとの間の電源線と通信線を１本で賄うことができる。入室コントローラ２０２ｂと退室コントローラ２０３ｂとの間の接続についても同様である。
【００４２】
電気錠２０４ａは、入室コントローラ２０２ａおよび退室コントローラ２０３ａに接続されている。電気錠２０４ａの制御は、入室コントローラ２０２ａおよび退室コントローラ２０３ａで行われる。つまり、入室コントローラ２０２ａおよび退室コントローラ２０３ａのいずれかにおいて非接触ＩＣカードの読み取り認証が行われて入退室が許可されると、入室コントローラ２０２ａまたは退室コントローラ２０３ａは電気錠２０４ａを解錠する。入室コントローラ２０２ｂ、退室コントローラ２０３ｂ、及び電気錠２０４ｂについても同様である。
【００４３】
入室コントローラ２０２ａ、２０２ｂは、ＵＰＳ（２０１）と信号線で接続されている。これにより、停電時の状態（信号）を、ＵＰＳ（２０１）から入室コントローラ２０２ａ、２０２ｂおよび退室コントローラ２０３ａ、２０３ｂに送信することができる。
【００４４】
図５は、本実施の形態にかかる入退管理システムが備えるコントローラの一例を示すブロック図である。なお、本明細書では、入室コントローラ２０２ａ、２０２ｂを総称して入室コントローラ２０２と、退室コントローラ２０３ａ、２０３ｂを総称して退室コントローラ２０３と記載する場合もある。また、入室コントローラ２０２ａ、２０２ｂと退室コントローラ２０３ａ、２０３ｂを総称して、「コントローラ２０２」と記載する場合もある。
【００４５】
図５に示すように、入室コントローラ２０２は、表示器３０１、カードリーダ読取部３０２、電源ＬＥＤ３０３、解錠ＬＥＤ３０４、警備ＬＥＤ３０５、スピーカー３０６、及びメモリカード３０７を備える。
【００４６】
表示器３０１は、ユーザに対する所定のメッセージを表示する。カードリーダ読取部３０２は、非接触ＩＣカード１１１がかざされると、非接触ＩＣカード１１１に格納されているデータを読み取る。電源ＬＥＤ３０３は、入室コントローラ２０２に電源が供給されていること示すＬＥＤである。例えば、電源ＬＥＤ３０３は、入室コントローラ２０２に電源が供給されている間、点灯する。解錠ＬＥＤ３０４は、入室コントローラ２０２が電気錠２０４を解錠していることを示すＬＥＤである。例えば、解錠ＬＥＤ３０４は、入室コントローラ２０２が電気錠２０４を解錠している際に点灯する。警備ＬＥＤ３０５は、入室コントローラ２０２が警備モードであることを示すＬＥＤである。スピーカー３０６は、所定の情報を音声を用いてユーザに伝える。メモリカード３０７は、入室コントローラ２０２の設定値等のデータを格納する。
【００４７】
退室コントローラ２０３についても、入室コントローラ２０２と同様の構成を備える。退室コントローラ２０３は、入室コントローラ２０２と電源線付きＬＡＮケーブルを用いて接続されている。なお、電気錠２０４の制御は、入室コントローラ２０２側にて行われる。
【００４８】
図６は、コントローラ（入室コントローラ２０２および退室コントローラ２０３）の設置例を説明するための平面図である。図６に示すように、居住エリアの出入口には扉が設置されており、扉には電気錠２０４が設けられている。居住エリアの外側（入り口側）には、入室コントローラ２０２が設けられている。また、居住エリアの内側（出口側）には、退室コントローラ２０３が設けられている。
【００４９】
本実施の形態にかかる入退管理システムでは、社員証などの非接触ＩＣカード１１１を入室コントローラ２０２および退室コントローラ２０３にかざすことで電気錠２０４を制御して、ユーザの入退出を制御している。このような制御を実現するためには、事前にコントローラ（入室コントローラ２０２および退室コントローラ２０３）に初期設定を行う必要がある。以下、本実施の形態にかかる入退管理システムの設定方法（初期設定方法）について説明する。
【００５０】
入退管理システムの初期設定を行う際は、まず、初期設定データを非接触ＩＣカード１１１に登録する。非接触ＩＣカード１１１に初期設定データを登録する際は、図４に示した管理パソコン１０２および非接触ＩＣカードリーダライタ１１０を用いる。具体的には、管理パソコン１０２で初期設定データを作成し、当該作成した初期設定データを非接触ＩＣカードリーダライタ１１０を用いて非接触ＩＣカード１１１に登録する。
【００５１】
登録する初期設定データとしては、図９に示すように、端末ＩＤ、初期ネットワーク設定（ＩＰアドレス、サブネットマスク、ＦＴＰアドレス、デフォルトゲートウェイ）、非接触ＩＣカード種別、電気錠種別、マスタ照合、セキュリティ設定（アンチパスバック、２名照合、ルートトラップ、インターロック）、非常解錠入力、一回解錠入力、ループ信号入力、警備信号出力、エラー信号出力、扉閉信号出力、ホールドアップ出力などである。また、警備システム、火災報知システム、監視カメラシステム、ビル管理システム等の外部機器連携設定を含めてもよい。また、これらを運用に合わせた形でパラメータ化し、非接触ＩＣカード１１１に書き込んでもよい。運用先のブロック、フロアごとに非接触ＩＣカード１１１を複数枚作成してもよい。
【００５２】
図７は、本実施の形態にかかる入退管理システムの動作を説明するためのフローチャートであり、初期設定データを非接触ＩＣカードに登録するフローを説明するためのフローチャートである。まず、図４に示した管理パソコン１０２を用いて、初期設定データ（図９参照）を作成する（ステップＳ１）。その際、図９に示すように各項目について初期設定データを決定し、インクリメント（デクリメント）が必要な項目については可変フラグを“１”とし、インクリメント（デクリメント）が不要な項目については“０”として定義する。
【００５３】
その後、ステップＳ１で作成した初期設定データを非接触ＩＣカード１１１に書き込む（ステップＳ２）。具体的には、管理パソコン１０２に接続されている非接触ＩＣカードリーダライタ１１０の上に非接触ＩＣカード１１１を載せて、初期設定データを非接触ＩＣカード１１１に書き込む。そして、非接触ＩＣカード１１１への書き込みが成功したら（ステップＳ３：Ｙｅｓ）、非接触ＩＣカード１１１への初期設定データの登録を終了する。一方、非接触ＩＣカード１１１への書き込みが失敗したら（ステップＳ３：Ｎｏ）、再度、ステップＳ２以降の動作を繰り返す。
【００５４】
次に、初期設定データが格納された非接触ＩＣカード１１１を用いて、コントローラ２０２の初期設定を行う動作について説明する。各々のコントローラ２０２を運用先に設置した後、電源を投入することで初期起動状態になる。初期起動状態とすることで、非接触ＩＣカード１１１のデータを読み取り可能な状態となる。そして、初期設定データが格納された非接触ＩＣカード１１１を各々のコントローラ２０２で読み取ると、各々のコントローラ２０２は自身の初期設定を行う。
【００５５】
この際、可変フラグが“１”に設定してある端末ＩＤやＩＰアドレスに関しては、初期設定データを読み込んだ後、これらのデータをカウントアップし、カウントアップ後のデータを非接触ＩＣカード１１１に書き込む。これにより、各々のコントローラ２０２のアドレスに関する値が互いに重複しないように設定される。なお、可変フラグが“０”に設定してある初期設定データに関しては、非接触ＩＣカード１１１に格納されている初期設定データは変更しない。また、可変フラグの有無（“１”または“０”）については、非接触ＩＣカード１１１に初期設定データを登録する際に、ユーザが任意に選択することができる。
【００５６】
以下、非接触ＩＣカード１１１を用いてコントローラ２０２の初期設定を行う動作について、図８を用いて説明する。まず、初期設定データが格納された非接触ＩＣカード１１１を、初期値の起点となる設定先のコントローラ２０２のカードリーダ読取部３０２（図５参照）にかざす（ステップＳ１１）。コントローラ２０２のカードリーダ読取部３０２は、非接触ＩＣカード１１１に格納されている初期設定データを読み込む（ステップＳ１２）。初期設定データの読み込みが失敗した場合は（ステップＳ１３：Ｎｏ）、ステップＳ１２の動作を再度繰り返す。一方、初期設定データの読み込みが成功した場合は（ステップＳ１３：Ｙｅｓ）、初期設定データの項目中に可変フラグが“１”であるデータが含まれているか否かを判定する（ステップＳ１４）。
【００５７】
可変フラグが“１”であるデータが含まれていない場合は（ステップＳ１４：Ｎｏ）、ステップＳ１８へと進む。一方、可変フラグが“１”であるデータが含まれている場合は（ステップＳ１４：Ｙｅｓ）、コントローラ２０２の表示器３０１に“非接触ＩＣカードをそのまま動かさないでください”と表示する（ステップＳ１５）。つまり、書き込み失敗を防ぐためのメッセージを表示器３０１に表示する。
【００５８】
また、可変フラグが“１”である項目については、データの末尾の数字をインクリメントし、インクリメント後の値を非接触ＩＣカード１１１に書き込む（ステップＳ１６）。非接触ＩＣカード１１１への書き込みが成功した場合は（ステップＳ１７：Ｙｅｓ）、コントローラ２０２のメモリに初期設定データを登録する（ステップＳ１８）。そして、表示器３０１に“初期設定データの取込完了”と表示する（ステップＳ１９）。一方、非接触ＩＣカード１１１への書き込みが失敗した場合は（ステップＳ１７：Ｎｏ）、ステップＳ１５以降の動作を繰り返す。
【００５９】
その後、コントローラ２０２は、設定済みのコントローラの台数が所定台数に達したか否かを判定する（ステップＳ２０）。例えば、コントローラ２０２は、非接触ＩＣカード１１１に格納されている現在のアドレスに関する値（端末ＩＤ）に基づいて、設定済みのコントローラ２０２の台数が所定台数に達したか否かを判定する（ステップＳ２０）。例えば、コントローラ２０２は端末ＩＤの値が「登録台数＋１」に達したか否かで、設定済みのコントローラ２０２の台数が所定台数に達したか否かを判定してもよい。
【００６０】
設定済みのコントローラ２０２の台数が所定台数に達していない場合は（ステップＳ２０：Ｎｏ）、ステップＳ１１以降の動作を繰り返す。一方、設定済みのコントローラ２０２の台数が所定台数に達した場合は（ステップＳ２０：Ｙｅｓ）、初期設定作業を終了する。このとき、コントローラ２０２は、初期設定が完了した旨のメッセージ（例えば、「登録台数がＸ台に達した」等のメッセージ）をコントローラ２０２の表示器３０１に出力してもよい。また、コントローラ２０２は、初期設定が完了した旨の音声メッセージ（例えば、「登録台数がＸ台に達した」等の音声メッセージ）をコントローラ２０２のスピーカー３０６から出力してもよい。
【００６１】
以上の処理を実施することで、初期設定データが格納された非接触ＩＣカード１１１を用いて、コントローラ２０２の初期設定を行うことができる。全てのコントローラ２０２の初期設定が完了した後、入退管理システムの稼動を開始する。入退管理システムの稼動後、各々のコントローラ２０２の設定変更が必要な場合は、管理サーバ１０１または管理パソコン１０２を用いて変更してもよい。
【００６２】
なお、図８では、コントローラ２０２に初期設定データを書き込む処理（ステップＳ１８）の前に、可変フラグが“１”の項目をインクリメントし（ステップＳ１６）、インクリメント後の値をコントローラ２０２に書き込む場合について説明した（図２に対応）。しかし、本実施の形態では、非接触ＩＣカード１１１から読み出した値をコントローラ２０２に書き込んだ後に、可変フラグが“１”である項目をインクリメントするようにしてもよい（図３に対応）。例えば、ステップＳ１９の後に、可変フラグが“１”の項目をインクリメントし、インクリメント後の値を非接触ＩＣカード１１１に書き込んでもよい。
【００６３】
また、図８では、ステップＳ２０において、設定済みのコントローラの台数が所定台数に達したか否かを判定していたが、このステップＳ２０は省略してもよい。
【００６４】
以上で説明した本実施の形態にかかる発明により、初期設定の作業を効率的に行うことが可能な入退管理システム、及び入退管理システムの設定方法を提供することができる。
【００６５】
以上、本発明を上記実施の形態に即して説明したが、本発明は上記実施の形態の構成にのみ限定されるものではなく、本願特許請求の範囲の請求項の発明の範囲内で当業者であればなし得る各種変形、修正、組み合わせを含むことは勿論である。
【符号の説明】
【００６６】
１１  非接触ＩＣカード
１２  コントローラ
１０１  管理サーバ
１０２  管理パソコン
１０３  ＵＰＳ
１０４  ハブ
１１０  非接触ＩＣカードリーダライタ
１１１  非接触ＩＣカード
２００  直流電源
２０１  ＵＰＳ
２０２  入室コントローラ
２０３  退室コントローラ
２０４  電気錠
【図１】
2020119371.tif 000003
【図２】
2020119371.tif 000004
【図３】
2020119371.tif 000005
【図４】
2020119371.tif 000006
【図５】
2020119371.tif 000007
【図６】
2020119371.tif 000008
【図７】
2020119371.tif 000009
【図８】
2020119371.tif 000010
【図９】
2020119371.tif 000011
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
非接触ＩＣカードと、
前記非接触ＩＣカードに格納されているデータに基づいて入退出制御を行う所定台数のコントローラと、を備え、
前記非接触ＩＣカードには前記所定台数のコントローラの各々の初期設定を行うためのデータが格納されており、
前記初期設定を行うためのデータには、前記所定台数のコントローラ間において値が重複しないように設定されるアドレスに関する値の第１のデータと、前記所定台数のコントローラにおいて共通して設定される第２のデータと、が含まれており、
前記第１のデータと前記第２のデータは、可変フラグを用いて識別されており、
前記所定台数のコントローラの各々に対して、
前記非接触ＩＣカードに格納されている前記第１および第２のデータを用いて前記コントローラの初期設定を行う処理と、
前記非接触ＩＣカードに格納されている、前記可変フラグが書き換えを示している前記第１のデータである前記アドレスに関する値を書き換える処理と、を１台ずつ順番に繰り返すことで、前記各々のコントローラの初期設定を行う、
入退管理システム。
【請求項２】
前記各々のコントローラは、
前記非接触ＩＣカードに格納されているアドレスに関する値を読み出した後、当該読み出したアドレスに関する値をインクリメントまたはデクリメントし、当該インクリメントまたはデクリメントした後のアドレスに関する値を用いて前記コントローラのアドレスに関する設定を行い、
前記非接触ＩＣカードに格納されているアドレスに関する値を、前記インクリメントまたはデクリメントした後のアドレスに関する値に書き換える、
請求項１に記載の入退管理システム。
【請求項３】
前記各々のコントローラは、
前記非接触ＩＣカードに格納されているアドレスに関する値を読み出した後、当該読み出したアドレスに関する値を用いて前記コントローラのアドレスに関する設定を行い、
前記読み出したアドレスに関する値をインクリメントまたはデクリメントした後、前記非接触ＩＣカードに格納されているアドレスに関する値を、前記インクリメントまたはデクリメントした後のアドレスに関する値に書き換える、
請求項１に記載の入退管理システム。
【請求項４】
前記アドレスに関する値は、前記コントローラの端末ＩＤおよびＩＰアドレスの少なくとも一つである、請求項１〜３のいずれか一項に記載の入退管理システム。
【請求項５】
前記コントローラは、前記非接触ＩＣカードに格納されている現在のアドレスに関する値に基づいて、設定済みのコントローラの台数が前記所定台数に達したか否かを判定する、請求項１〜３のいずれか一項に記載の入退管理システム。
【請求項６】
前記コントローラは、設定済みのコントローラの台数が前記所定台数に達した場合に、前記初期設定が完了した旨のメッセージを出力する、請求項５に記載の入退管理システム。
【請求項７】
非接触ＩＣカードに格納されているデータに基づいて入退出制御を行う所定台数のコントローラを備える入退管理システムの設定方法であって、
初期設定を行うためのデータには、前記所定台数のコントローラ間において値が重複しないように設定されるアドレスに関する値の第１のデータと、前記所定台数のコントローラにおいて共通して設定される第２のデータと、が含まれており、
前記第１のデータと前記第２のデータは、可変フラグを用いて識別されており、
前記非接触ＩＣカードに前記所定台数のコントローラの各々の前記初期設定を行うためのデータを格納した後、
前記所定台数のコントローラの各々に対して、
前記非接触ＩＣカードに格納されている前記第１および第２のデータを用いて前記コントローラの初期設定を行う処理と、
前記非接触ＩＣカードに格納されている、前記可変フラグが書き換えを示している前記第１のデータである前記アドレスに関する値を書き換える処理と、を１台ずつ順番に繰り返すことで、前記各々のコントローラの初期設定を行う、
入退管理システムの設定方法。